(57)【要約】【課題】鞄を変形しづらくする。【解決手段】鞄１は、物品を収容する主収容部１１と、主収容部１１の外周を垂直方向に支持する外周支持部２０と、を有し、外周支持部２０は、主収容部１１の上端に対して突出した第１持ち手部２００と、主収容部１１の上端に対して突出した第２持ち手部２０１と、第１持ち手部２００の下端から主収容部１１の第１面１１０、主収容部１１の底面１１２、及び第１面１１０と反対側の第２面１１１に沿って延伸し、第２持ち手部２０１の下端に達する垂直支持部２０２と、を有する。【選択図】図１
2019041822.tif 000002
【特許請求の範囲】
【請求項１】
物品を収容する主収容部と、
前記主収容部の外周を垂直方向に支持する外周支持部と、
を有し、
前記外周支持部は、
前記主収容部の上端に対して突出した第１持ち手部と、
前記主収容部の上端に対して突出した第２持ち手部と、
前記第１持ち手部の下端から前記主収容部の第１面、前記主収容部の底面、及び前記第１面と反対側の第２面に沿って延伸し、前記第２持ち手部の下端に達する垂直支持部と、
を有する鞄。
【請求項２】
前記垂直支持部は、
前記第１持ち手部の第１下端から前記第１面、前記主収容部の底面、及び前記第２面に沿って延伸し、前記第２持ち手部の第１下端に達する第１垂直支持部と、
前記第１持ち手部の第２下端から前記第１面、前記主収容部の底面、及び前記第２面に沿って延伸し、前記第２持ち手部の第２下端に達する第２垂直支持部と、
を有する、
請求項１に記載の鞄。
【請求項３】
前記第１持ち手部、前記第２持ち手部、前記第１垂直支持部及び前記第２垂直支持部が一体に形成されている、
請求項２に記載の鞄。
【請求項４】
前記垂直支持部における前記第１面及び前記第２面に沿って延伸する領域と直交する方向において前記主収容部を包囲する水平支持部をさらに有する、
請求項１から３のいずれか一項に記載の鞄。
【請求項５】
前記水平支持部は、前記垂直支持部の前記主収容部側の面に固定されている、
請求項４に記載の鞄。
【請求項６】
前記水平支持部は、前記主収容部側と反対側の面に、物品を収容するための副収容部を着脱させるための着脱部を有する、
請求項４又は５に記載の鞄。
【請求項７】
前記垂直支持部は、前記主収容部側と反対側の面に、物品を収容するための副収容部を着脱させるための着脱部を有する、
請求項１から６のいずれか一項に記載の鞄。
【請求項８】
物品を収容する主収容部を準備する工程と、
前記主収容部の外周を垂直方向に支持する外周支持部を準備する工程と、
前記外周支持部に前記主収容部を挿入する工程と、
を有し、
前記外周支持部は、
前記主収容部の上端に対して突出した第１持ち手部と、
前記主収容部の上端に対して突出した第２持ち手部と、
前記第１持ち手部の下端から前記主収容部の第１面、前記主収容部の底面、及び前記第１面と反対側の第２面に沿って延伸し、前記第２持ち手部の下端に達する垂直支持部と、
を有する鞄の製造方法。
【請求項９】
前記垂直支持部における前記第１面及び前記第２面に沿って延伸する領域と直交する方向において前記主収容部を包囲する水平支持部を準備する工程と、
前記水平支持部を、前記垂直支持部の内側の面に固定する工程と、
をさらに有し、
前記垂直支持部に前記主収容部を挿入する工程において、前記水平支持部の内側に前記主収容部を挿入する、
請求項８に記載の鞄の製造方法。
【発明の詳細な説明】
【技術分野】
【０００１】
本発明は、鞄及び鞄の製造方法に関する。
【背景技術】
【０００２】
従来、収容部の外側にフレームが設けられている鞄が知られている（例えば、特許文献１を参照）。
【先行技術文献】
【特許文献】
【０００３】
【特許文献１】実開昭６２−１２６１２１号公報
【発明の概要】
【発明が解決しようとする課題】
【０００４】
しかし、フレームが鞄の外側の縁に沿って設けられている場合、鞄の中央付近の強度が弱く、重い物品や大きな物品を鞄に収容すると、鞄の形が崩れてしまうという問題が生じていた。
【０００５】
そこで、本発明はこれらの点に鑑みてなされたものであり、変形しづらい鞄を提供することを目的とする。
【課題を解決するための手段】
【０００６】
本発明の第１の態様においては、物品を収容する主収容部と、前記主収容部の外周を垂直方向に支持する外周支持部と、を有し、前記外周支持部は、前記主収容部の上端に対して突出した第１持ち手部と、前記主収容部の上端に対して突出した第２持ち手部と、前記第１持ち手部の下端から前記主収容部の第１面、前記主収容部の底面、及び前記第１面と反対側の第２面に沿って延伸し、前記第２持ち手部の下端に達する垂直支持部と、を有する鞄を提供する。
【０００７】
また、前記垂直支持部は、前記第１持ち手部の第１下端から前記第１面、前記主収容部の底面、及び前記第２面に沿って延伸し、前記第２持ち手部の第１下端に達する第１垂直支持部と、前記第１持ち手部の第２下端から前記第１面、前記主収容部の底面、及び前記第２面に沿って延伸し、前記第２持ち手部の第２下端に達する第２垂直支持部と、を有していてもよい。
【０００８】
また、前記第１持ち手部、前記第２持ち手部、前記第１垂直支持部及び前記第２垂直支持部が一体に形成されていてもよい。また、前記垂直支持部における前記第１面及び前記第２面に沿って延伸する領域と直交する方向において前記主収容部を包囲する水平支持部をさらに有していてもよい。
【０００９】
また、前記水平支持部は、前記垂直支持部の前記主収容部側の面に固定されていてもよい。また、前記水平支持部は、前記主収容部側と反対側の面に、物品を収容するための副収容部を着脱させるための着脱部を有していてもよい。また、前記垂直支持部は、前記主収容部側と反対側の面に、物品を収容するための副収容部を着脱させるための着脱部を有していてもよい。
【００１０】
本発明の第２の態様においては、物品を収容する主収容部を準備する工程と、前記主収容部の外周を垂直方向に支持する外周支持部を準備する工程と、前記外周支持部に前記主収容部を挿入する工程と、を有し、前記外周支持部は、前記主収容部の上端に対して突出した第１持ち手部と、前記主収容部の上端に対して突出した第２持ち手部と、前記第１持ち手部の下端から前記主収容部の第１面、前記主収容部の底面、及び前記第１面と反対側の第２面に沿って延伸し、前記第２持ち手部の下端に達する垂直支持部と、を有する鞄の製造方法を提供する。
【００１１】
上記の鞄の製造方法は、前記垂直支持部における前記第１面及び前記第２面に沿って延伸する領域と直交する方向において前記主収容部を包囲する水平支持部を準備する工程と、前記水平支持部を、前記垂直支持部の内側の面に固定する工程と、をさらに有し、前記垂直支持部に前記主収容部を挿入する工程において、前記水平支持部の内側に前記主収容部を挿入してもよい。
【発明の効果】
【００１２】
本発明によれば、鞄を変形しづらくすることができるという効果を奏する。
【図面の簡単な説明】
【００１３】
【図１】第１の実施形態に係る鞄の構成を示す。
【図２】第１の実施形態に係る鞄を構成する部材が分離された状態を示す。
【図３】第１の実施形態に係る鞄の正面図である。
【図４】第１の実施形態に係る鞄の右側面図である。
【図５】第１の実施形態に係る鞄の平面図である。
【図６】第１の実施形態に係る鞄の底面図である。
【図７】第１の実施形態に係る鞄（変形例）の構成を示す。
【図８】第１の実施形態に係る鞄（変形例）を構成する部材が分離された状態を示す。
【図９】第２の実施形態に係る鞄の構成を示す。
【図１０】第３の実施形態に係る鞄の構成を示す。
【図１１】第４の実施形態に係る鞄の構成を示す。
【図１２】第４の実施形態に係る鞄を構成する部材が分離された状態を示す。
【図１３】第５の実施形態に係る鞄の構成を示す。
【図１４】第５の実施形態に係る鞄を構成する部材が分離された状態を示す。
【発明を実施するための形態】
【００１４】
＜第１の実施形態＞
［第１の実施形態に係る鞄１の構成］
図１は、第１の実施形態に係る鞄１の構成を示す図である。図２は、第１の実施形態に係る鞄１を構成する部材が分離された状態を示す図である。図３は、第１の実施形態に係る鞄１の正面図である。図４は、第１の実施形態に係る鞄１の右側面図である。図５は、第１の実施形態に係る鞄１の平面図である。図６は、第１の実施形態に係る鞄１の底面図である。なお、第１の実施形態に係る鞄１の背面図は正面図と同一のため背面図を省略する。また、第１の実施形態に係る鞄１の左側面図は右側面図と同一のため左側面図を省略する。
【００１５】
鞄１は、主収容部１１、外周支持部２０、水平支持部３０、及び水平支持部３１を有する。主収容部１１は、物品を収容する部分である。主収容部１１は、略直方体形状である。主収容部１１は、上方に開閉可能な開閉部１１５を有する。主収容部１１の少なくとも水平支持部３０の上方は、例えば柔軟性がある部材により形成されており、開閉部１１５を中心とする２つの領域に分かれている。２つの領域には、開閉部１１５にホック又は面ファスナーが設けられており、ユーザは、２つの領域を離す向きに力を加えることで、主収容部１１に物品を収容することが可能になる。なお、開閉部１１５は、主収容部１１の側面にまで延伸していてもよい。
【００１６】
主収容部１１は、第１面１１０、第２面１１１、底面１１２、第３面１１３、及び第４面１１４を有する。第１面１１０と第２面１１１は、鞄１における最も広い面であり、第２面１１１は、第１面１１０の反対側の面である。底面１１２は、鞄１の垂直方向における底部の面である。本明細書における「垂直方向」は、鞄１の上下方向に相当する。第３面１１３は、第１面１１０及び第２面１１１と直交する側面である。第４面１１４は、第１面１１０及び第２面１１１と直交する側面である。
【００１７】
外周支持部２０は、主収容部１１の外周を垂直方向に支持する。外周支持部２０は、第１持ち手部２００、第２持ち手部２０１、及び垂直支持部２０２を有する。外周支持部２０は、例えば柔軟性を有するナイロン製のベルト、又は柔軟性を有するカーボン繊維のベルトである。
【００１８】
第１持ち手部２００及び第２持ち手部２０１は、ユーザが手で把持する部分である。第１持ち手部２００及び第２持ち手部２０１は、例えば円弧形状を有する。第１持ち手部２００は、主収容部１１の第１面１１０の上端に対して突出している。第２持ち手部２０１は、主収容部１１の第２面１１１上端に対して突出している。第１持ち手部２００及び第２持ち手部２０１の下端は、第１持ち手部２００及び第２持ち手部２０１の円弧状の部分の終端位置であり、例えば第１持ち手部２００が水平支持部３０と接する位置である。
【００１９】
垂直支持部２０２は、第１持ち手部２００の下端から主収容部１１の第１面１１０、底面１１２、及び第２面１１１に沿って延伸している。図１及び図２に示されるように、垂直支持部２０２は、第１垂直支持部２０３と第２垂直支持部２０４とを有する。第１垂直支持部２０３は、第１持ち手部２００の第１下端から第１面１１０、主収容部１１の底面１１２、及び第２面１１１に沿って延伸し、第２持ち手部２０１の第１下端に達する。第２垂直支持部２０４は、第１持ち手部２００の第２下端から第１面１１０、主収容部１１の底面１１２、及び第２面１１１に沿って延伸し、第２持ち手部２０１の第２下端に達する。第１持ち手部２００、第２持ち手部２０１、第１垂直支持部２０３及び第２垂直支持部２０４は一体に形成されている。
【００２０】
水平支持部３０は、垂直支持部２０２における第１面１１０及び第２面１１１に沿って延伸する領域と直交する方向において主収容部１１を包囲する部分である。水平支持部３１は、垂直支持部２０２における第１面１１０及び第２面１１１に沿って延伸する領域と直交する方向において主収容部１１を包囲する部分である。
【００２１】
水平支持部３０は、垂直支持部２０２の主収容部１１側の面に固定されている。水平支持部３０は、垂直支持部２０２に例えば縫い付けられている。水平支持部３０は、ナイロン、カーボン繊維、皮、プラスチック、又はアルミニウムにより形成されている。鞄１は、水平支持部３０を有することで、主収容部１１に物品が入った状態において鞄１が膨らむことを防止できる。水平支持部３０の厚みは、例えば、垂直支持部２０２の厚みよりも小さい。このように、水平支持部３０が垂直支持部２０２よりも薄いことにより、主収容部１１と垂直支持部２０２との間の隙間が小さくなるので、意匠性が向上するとともに埃がたまりにくくなる。また、水平支持部３０の厚みは、垂直支持部２０２の厚みと同程度であってもよい。
【００２２】
［第１の実施形態に係る鞄１の製造方法］
次に、第１の実施形態に係る鞄１の製造方法について説明する。まず、物品を収容する主収容部１１を準備する。次に、主収容部１１の外周を垂直方向に支持する外周支持部２０を準備する。次に、外周支持部２０に主収容部１１を挿入する。
【００２３】
次に、垂直支持部２０２における第１面１１０及び第２面１１１に沿って延伸する領域と直交する方向において主収容部１１を包囲する水平支持部３０及び水平支持部３１を準備する。次に、水平支持部３０及び水平支持部３１を、垂直支持部２０２の内側の面に固定する。次に、垂直支持部２０２に主収容部１１を挿入する工程において、水平支持部３０及び水平支持部３１の内側に主収容部１１を挿入する。このようにして、図１に示す鞄１が完成する。
【００２４】
なお、鞄１の形を崩れにくくするために、主収容部１１を水平支持部３０及び水平支持部３１に固定してもよい。例えば、主収容部１１と水平支持部３０及び水平支持部３１とを接着剤や糸で結合させてもよく、主収容部１１の面と水平支持部３０及び水平支持部３１とを貫通する穴に通したボルト状の部材を主収容部１１の内側においてナットで締め付けてもよい。
【００２５】
また、図１に示した鞄１は、２つの水平支持部（水平支持部３０と水平支持部３１）を有するが、水平支持部の個数は任意である。鞄１は水平支持部３０及び水平支持部３１を有していなくてもよい。この場合、第１垂直支持部２０３及び第２垂直支持部２０４が主収容部１１に直接結合される。
【００２６】
［変形例］
図７は、変形例の鞄１ａの構成を示す図である。図８は、変形例の鞄１ａを構成する部材が分離された状態を示す図である。鞄１ａは、上記の鞄１と比べて、副収容部１２、副収容部１３、及び着脱部２０６を有する点が異なる。
【００２７】
副収容部１２、副収容部１３は、物品を収容する部分である。副収容部１２、副収容部１３は、例えば略直方体形状である。副収容部１２、副収容部１３は、それぞれ例えば上方及び側方の少なくともいずれかに開閉可能な開閉部を有する。
【００２８】
着脱部２０６は、主収容部１１側と反対側の面に、副収容部１２、副収容部１３を着脱させるための部分である。着脱部２０６は、例えばホック又は面ファスナーである。図８においては、第１垂直支持部２０３及び第２垂直支持部２０４と水平支持部３０とが交差する領域、並びに第１垂直支持部２０３及び第２垂直支持部２０４と水平支持部３１とが交差する領域に着脱部２０６が設けられているが、着脱部２０６が設けられる領域はこれに限らない。着脱部２０６は、例えば、第１垂直支持部２０３及び第２垂直支持部２０４における、第１垂直支持部２０３及び第２垂直支持部２０４と水平支持部３０とが交差する位置より下の領域全体に設けられていてもよい。また、着脱部２０６は、水平支持部３０又は水平支持部３１に設けられていてもよい。
【００２９】
副収容部１２及び副収容部１３における着脱部２０６に対応する位置には、着脱部２０６と結合可能な部材として、ホック又は面ファスナーが設けられている。ユーザは、着脱部２０６を介して、垂直支持部２０２に副収容部１２及び副収容部１３を取付けることができる。
【００３０】
なお、図７においては、鞄１ａが、副収容部１２、及び副収容部１３を有する例を示したが、鞄１ａは、副収容部１２又は副収容部１３のどちらか一方を有してもよい。
【００３１】
［第１の実施形態に係る鞄１による効果］
本実施形態に係る鞄１は、物品を収容する主収容部１１と、主収容部１１の外周を垂直方向に支持する外周支持部２０と、を有する。そして、外周支持部２０は、主収容部１１の上端に対して突出した第１持ち手部２００と、主収容部１１の上端に対して突出した第２持ち手部２０１と、第１持ち手部２００の下端から主収容部１１の第１面１１０、主収容部１１の底面１１２、及び第１面１１０と反対側の第２面１１１に沿って延伸し、第２持ち手部２０１の下端に達する垂直支持部２０２と、を有する。本実施形態に係る鞄１は、このように主収容部１１の外周に外周支持部２０を有するので変形しづらく、重い物品や大きな物品を入れても形が崩れにくい。
【００３２】
＜第２の実施形態＞
図９は、第２の実施形態に係る鞄２の構成を示す図である。
第２の実施形態に係る鞄２は、第１の実施形態に係る鞄１と比べて、外周支持部２０が第３垂直支持部２０５を有する点が異なる。第３垂直支持部２０５は、図１に示した第１垂直支持部２０３及び第２垂直支持部２０４よりも幅が広く、第１持ち手部２００及び第２持ち手部２０１の横幅と等しい幅を有する。
【００３３】
第３垂直支持部２０５は、第１持ち手部２００の第１下端及び第２下端から主収容部１１の第１面１１０、主収容部１１の底面１１２、及び第１面１１０と反対側の第２面１１１に沿って延伸し、第２持ち手部２０１の第１下端及び第２下端に達する。鞄２は、このように幅が広い第３垂直支持部２０５を有するので、第１の実施形態に係る鞄１よりも、さらに変形しづらい。
【００３４】
また、第３垂直支持部２０５には、図７及び図８に示した副収容部１２及び副収容部１３を主収容部１１の両側に装着できるようにするための着脱部を設けてもよい。第３垂直支持部２０５は横幅が図１に示した第１垂直支持部２０３及び第２垂直支持部２０４よりも広いので、着脱部の面積を図８に示した着脱部２０６よりも大きくすることができる。したがって、副収容部１２及び副収容部１３を、第３垂直支持部２０５を介して、強固に主収容部１１に固定することができる。
【００３５】
＜第３の実施形態＞
図１０は、第３の実施形態に係る鞄３の構成を示す図である。
第３の実施形態に係る鞄３は、第１の実施形態に係る鞄１と比べて、支持部３２と支持部３３を有する点が異なる。
【００３６】
支持部３２は、水平支持部３０と水平支持部３１との間に、主収容部１１の第３面１１３に沿って主収容部１１の鉛直方向に対して斜めの方向に延伸している。支持部３３は、水平支持部３０と水平支持部３１との間に、主収容部１１の第３面１１３に沿って主収容部１１の鉛直方向に対して斜めの方向に延伸している。図１０においては示していないが、鞄３は、第４面１１４においても、支持部３２及び支持部３３と同等の形状の複数の支持部を有していてもよい。鞄３は、このように水平支持部３０と水平支持部３１との間に支持部３２及び支持部３３を有するので、第１の実施形態に係る鞄１よりも、さらに変形しづらい。
【００３７】
＜第４の実施形態＞
図１１は、第４の実施形態に係る鞄４の構成を示す図である。図１２は、第４の実施形態に係る鞄４を構成する部材が分離された状態を示す図である。第４の実施形態に係る鞄４は、第１の実施形態に係る鞄１と比べて、外周支持部２０の代わりに外周支持部４０を有する点が異なる。
【００３８】
外周支持部４０は、第１持ち手部４００、第２持ち手部４０１、及び垂直支持部４０２を有する。第１持ち手部４００及び第２持ち手部４０１は、第１持ち手部２００及び第２持ち手部２０１と同等の構成を有する。垂直支持部４０２は、第４垂直支持部４０３及び第５垂直支持部４０４を有する。
【００３９】
第４垂直支持部４０３は、第１持ち手部４００の第１下端から第１面１１０に沿って、主収容部１１の鉛直方向に対して斜めの方向に延伸する。第４垂直支持部４０３は、さらに、主収容部１１の底面１１２に沿って延伸し、第２面１１１に沿って主収容部１１の鉛直方向に対して斜めの方向に延伸し、第２持ち手部４０１の第１下端に達する。
【００４０】
第５垂直支持部４０４は、第１持ち手部４００の第２下端から第１面１１０に沿って主収容部１１の鉛直方向に対して斜めの方向に延伸する。第５垂直支持部４０４は、さらに、主収容部１１の底面１１２に沿って延伸し、第２面１１１に沿って主収容部１１の鉛直方向に対して斜めの方向に延伸し、第２持ち手部４０１の第２下端に達する。
【００４１】
第４垂直支持部４０３と第５垂直支持部４０４とは、例えば、第１面１１０及び第２面１１１における第１持ち手部４００及び第２持ち手部４０１が第１面１１０及び第２面１１１に固定されている位置の下方において、互いに交差している。鞄４は、このように第４垂直支持部４０３と第５垂直支持部４０４とが、第１面１１０及び第２面１１１上で交差しているので、第１の実施形態に係る鞄１よりも、さらに変形しづらい。
【００４２】
＜第５の実施形態＞
図１３は、第５の実施形態に係る鞄５の構成を示す図である。図１４は、第５の実施形態に係る鞄５を構成する部材が分離された状態を示す図である。第５の実施形態に係る鞄５は、第１の実施形態に係る鞄１と比べて、外周支持部２０の代わりに外周支持部５０を有する点が異なる。
【００４３】
外周支持部５０は、第１持ち手部５００、第２持ち手部５０１、及び垂直支持部５０２を有する。第１持ち手部５００及び第２持ち手部５０１は、第１持ち手部２００及び第２持ち手部２０１と同等の構成を有する。垂直支持部５０２は、支持部５０３、支持部５０４、支持部５０５、支持部５０６、及び支持部５０７を有する。
【００４４】
支持部５０３は、第１持ち手部５００の第１下端から第１面１１０に沿って、主収容部１１の鉛直方向に延伸する。支持部５０３の下端は、リベット接合により縦板５０９と接合されている。支持部５０４は、第１持ち手部５００の第２下端から第１面１１０に沿って、主収容部１１の鉛直方向に延伸する。支持部５０４の下端は、リベット接合により縦板５０９と接合されている。支持部５０５は、第２持ち手部５０１の第１下端から第２面１１１に沿って、主収容部１１の鉛直方向に延伸する。支持部５０５の下端は、リベット接合により縦板５１０と接合されている。支持部５０６は、第２持ち手部５０１の第２下端から第２面１１１に沿って、主収容部１１の鉛直方向に延伸する。支持部５０６の下端は、縦板５１０と接続されている。
【００４５】
支持部５０７は、断面がコ字形状を有し、主収容部１１を下方から支持する部材である。支持部５０７は、例えばプラスチック又はポリカーボネートにより形成されている。支持部５０７は、底板５０８、縦板５０９、及び縦板５１０を有する。底板５０８は、底面１１２と略同じ大きさを有し、底面１１２と接している。縦板５０９は、底板５０８の一端から第１面１１０に沿って、主収容部１１の鉛直方向に延伸する。縦板５０９は、底板５０８と直交している。縦板５１０は、底板５０８の縦板５０９が形成されている側とは反対側の端部から第２面１１１に沿って、主収容部１１の鉛直方向に延伸する。縦板５１０は、底板５０８と直交している。
【００４６】
鞄５は、このように主収容部１１の底面１１２に接し、主収容部１１を下方から支持する支持部５０７を有するので、第１の実施形態に係る鞄１よりも、さらに変形しづらい。
【００４７】
以上、本発明を実施の形態を用いて説明したが、本発明の技術的範囲は上記実施の形態に記載の範囲には限定されず、その要旨の範囲内で種々の変形及び変更が可能である。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００４８】
１、１ａ、２、３、４、５・・・鞄
１１・・・主収容部
１１０・・・第１面
１１１・・・第２面
１１２・・・底面
１１３・・・第３面
１１４・・・第４面
１１５・・・開閉部
１２・・・副収容部
１３・・・副収容部
２０・・・外周支持部
２００・・・第１持ち手部
２０１・・・第２持ち手部
２０２・・・垂直支持部
２０３・・・第１垂直支持部
２０４・・・第２垂直支持部
２０５・・・第３垂直支持部
２０６・・・着脱部
３０・・・水平支持部
３１・・・水平支持部
３２・・・支持部
３３・・・支持部
４０・・・外周支持部
４００・・・第１持ち手部
４０１・・・第２持ち手部
４０２・・・垂直支持部
４０３・・・第４垂直支持部
４０４・・・第５垂直支持部
５０・・・外周支持部
５００・・・第１持ち手部
５０１・・・第２持ち手部
５０２・・・垂直支持部
５０３・・・支持部
５０４・・・支持部
５０５・・・支持部
５０６・・・支持部
５０７・・・支持部
５０８・・・底板
５０９・・・縦板
５１０・・・縦板
【図１】
2019041822.tif 000003
【図２】
2019041822.tif 000004
【図３】
2019041822.tif 000005
【図４】
2019041822.tif 000006
【図５】
2019041822.tif 000007
【図６】
2019041822.tif 000008
【図７】
2019041822.tif 000009
【図８】
2019041822.tif 000010
【図９】
2019041822.tif 000011
【図１０】
2019041822.tif 000012
【図１１】
2019041822.tif 000013
【図１２】
2019041822.tif 000014
【図１３】
2019041822.tif 000015
【図１４】
2019041822.tif 000016